(57)【要約】【課題】収納すべき物品の用途に合わせた収納が可能な使い勝手の良い収納空間を備えた建物を提供することを目的とする。【解決手段】１階の床１の一部の上に、中間床２が設けられており、この中間床２と１階の床１との間が収納空間３とされた建物Ａにおいて、前記収納空間３に隣接して、床面４ａが一段低い低床収納空間４を設け、前記収納空間３に１階の部屋Ａ１に通じる出入り口５を設けて、前記低床収納空間４に外部へ通じる出入り口６を設けることを前記課題の解決手段とした。【選択図】図１
2006016927.tif 000002
【特許請求の範囲】
【請求項１】
1階の床の一部の上に、中間床が設けられており、この中間床と1階の床との間が収納空間とされた建物において、
前記収納空間に隣接して、床面が一段低い低床収納空間が設けられており、前記収納空間には、１階の部屋に通じる出入り口が設けられており、前記低床収納空間には外部へ通じる出入り口が設けられていることを特徴とする建物。
【請求項２】
請求項１に記載の建物において、
前記低床収納空間には、前記１階の部屋に通じる出入り口が設けられていることを特徴とする建物。
【請求項３】
請求項１または２に記載の建物において、
前記低床収納空間の一部がカーポートとなっており、残りの低床収納空間の床面とカーポートの床面とは、ほぼ連続する土間床で形成されていることを特徴とする建物。
【請求項４】
請求項１〜３のいずれか一項に記載の建物において、
前記収納空間の床面と前記１階の部屋の床面とは、ほぼ等しい高さ位置になるように設けられていることを特徴とする建物。
【請求項５】
請求項１〜４のいずれか一項に記載の建物において、
前記収納空間の天井高は、０．９ｍ〜１．４ｍに設定されていることを特徴とする建物。
【発明の詳細な説明】
【技術分野】
【０００１】
本発明は、１階の床と、この１階の床の一部の上に設けられた中間床との間が収納空間とされた建物に関する。
【背景技術】
【０００２】
従来より、住宅等の建物において物品を保管、収容する場所として、建物内部には押入や納戸、床下収納庫、小屋裏収納部、天井裏収納部等の収納スペースが設けられ、また、屋外には物置等が設置されることがある。
【０００３】
しかし、近年における生活の質の向上や多様化に伴い、生活に使用する物品が多種多様化および多数化する傾向にあり、これらの物品を保管、収容するために従来の収納スペースでは広さや容量が不足し、また、建物が建てられる敷地の有効利用という観点から、屋外物置等の設置は望ましくないため、その内部により大きな収納スペースを備えた建物が望まれていた。
【０００４】
このような要望に対して、本出願人は、建物の内部に大型収納空間を設けるとともに、この収納空間と同じ床レベルの居室を隣接して設け、さらに、当該居室に収納空間への出入り口を設けた建物を提案した（特許文献１参照）。
【０００５】
前記特許文献１に示す建物は、上階の床と下階の床との間のスキップ床の床レベルに収納空間を設けるため、上階の荷物と下階の荷物のいずれを収納空間へ出し入れする場合にも便利であった。
【特許文献１】特開２００４−１１３３６号公報
【発明の開示】
【発明が解決しようとする課題】
【０００６】
ところが、前記特許文献１に記載のように、建物内部に設けられた収納空間に対して、例えばアウトドア用品等、建物の外部で使用する物品を収納する際には、玄関から部屋、階段等を通過して前記居室まで運ばなければならず、使い勝手が良くない場合があった。
また、例えば前記アウトドア用品等の物品をカーポート内の車から降ろして建物内の収納空間に運ぶ際においても、一旦、カーポートから外部に出て、それから玄関、部屋、階段等を通過して前記居室まで運ばなければならず、使い勝手が良くない場合があった。
そこで、建物の外部で使用する物品と、建物の中で使用する物品とを分割して収納することができる収納空間の開発が望まれていた。
【０００７】
本発明の課題は、収納すべき物品の用途に合わせた収納が可能な使い勝手の良い収納空間を備えた建物を提供することを目的とする。
【課題を解決するための手段】
【０００８】
請求項１記載の発明は、例えば図１または図２に示すように、１階の床１の一部の上に、中間床２が設けられており、この中間床２と１階の床１との間が収納空間３とされた建物Ａにおいて、
前記収納空間３に隣接して、床面４ａが一段低い低床収納空間４を設け、前記収納空間３に１階の部屋Ａ１に通じる出入り口５を設け、前記低床収納空間４に外部へ通じる出入り口６を設けることを前記課題の解決手段とした。
【０００９】
請求項１記載の発明によれば、前記収納空間３に隣接して、床面４ａが一段低い低床収納空間４を設け、前記収納空間３に１階の部屋Ａ１に通じる出入り口５を設け、前記低床収納空間４に外部へ通じる出入り口６を設けることによって、建物Ａの内部で使用した物品を収納空間３に収納し、建物Ａの外部で使用した物品を低床収納空間４に収納することができるので、それぞれの物品の使用場所や用途に合わせた収納が可能となり使い勝手が良い。
また、前記低床収納空間４は、床面４ａが一段低い分、前記収納空間３よりも収納スペースが広くなるので、物品の搬入や搬出がし易く、しかも収納量が向上して使い勝手が良い。
【００１０】
請求項２記載の発明は、例えば図１に示すように、請求項１に記載の建物Ａにおいて、
前記低床収納空間４に、前記１階の部屋Ａ１に通じる出入り口７を設けることを前記課題の解決手段とした。
【００１１】
請求項２記載の発明によれば、前記低床収納空間４に、前記１階の部屋Ａ１に通じる出入り口７を設けることによって、１階の部屋Ａ１と低床収納空間４との間を行き来することができるので使い勝手が良い。
【００１２】
請求項３記載の発明は、例えば図２に示すように、請求項１または２に記載の建物Ａにおいて、
前記低床収納空間４の一部をカーポート８とし、残りの低床収納空間４の床面４ａとカーポート８の床面８ａとを、ほぼ連続する土間床４ａ、８ａで形成することを前記課題の解決手段とした。
【００１３】
請求項３記載の発明によれば、前記低床収納空間４の一部をカーポート８とし、残りの低床収納空間４の床面４ａとカーポート８の床面８ａとを、ほぼ連続する土間床４ａ、８ａで形成するので、従来とは異なり、収納すべき物品を持ったままカーポート８から外部に出て、それから玄関まで回り込む手間も無く、ほぼ等しい高さ位置の土間床面４ａ、８ａを移動するだけで済む。したがって、建物Ａの外部に収納すべき物品は前記残りの低床収納空間４に収納することができ、建物Ａの内部に収納すべき物品は前記低床収納空間４と１階の部屋Ａ１との出入り口７から運び込むことができるので使い勝手が良い。
【００１４】
請求項４記載の発明は、例えば図３に示すように、請求項１〜３のいずれか一項に記載の建物Ａにおいて、
前記収納空間３の床面３ａと前記１階の部屋Ａ１の床面１とを、ほぼ等しい高さ位置になるように設けることを前記課題の解決手段とした。
【００１５】
請求項４記載の発明によれば、前記収納空間３の床面３ａと前記１階の部屋Ａ１の床面１とを、ほぼ等しい高さ位置になるように設けるので、従来とは異なり、収納すべき物品を持ったまま階段２ａの昇り降りをする必要もなく、ほぼ等しい高さ位置の床面１、３ａを移動するだけで済み、例えば比較的重量な物品等でも収納し易く使い勝手が良い。
【００１６】
請求項５記載の発明は、例えば図２または図３に示すように、請求項１〜４のいずれか一項に記載の建物Ａにおいて、
前記収納空間３の天井高を、０．９ｍ〜１．４ｍに設定することを前記課題の解決手段とした。
【００１７】
請求項５記載の発明によれば、前記収納空間３の天井高を、０．９ｍ〜１．４ｍに設定することによって、人が前記収納空間３に入って、何とか作業ができる最低限の高さを確保でき、また、このように天井高を必要最小限に抑えることで、建物Ａの高さが高くなることによって隣接する建物Ａに及ぼす日照減少等の影響を極力少なくすることができる。
【発明の効果】
【００１８】
本発明によれば、建物の内部で使用した物品を収納空間に収納し、建物の外部で使用した物品を低床収納空間に収納することができるので、それぞれの物品の使用場所や用途に合わせた収納が可能となり使い勝手が良い。また、前記低床収納空間は、床面が一段低い分、前記収納空間よりも収納スペースが広くなるので、物品の搬入や搬出がし易く、しかも収納量が向上して、さらに使い勝手が良い。
そして、従来とは異なり、収納すべき物品を持ったままカーポートから外部に出て、それから玄関まで回り込む手間も無く、ほぼ等しい高さ位置の土間床面を移動するだけで済む。したがって、建物の外部に収納すべき物品は前記残りの低床収納空間に収納することができ、建物の内部に収納すべき物品は前記低床収納空間と１階の部屋との出入り口から運び込むことができるので使い勝手が良い。
一方、前記収納空間の床面と前記１階の部屋の床面とを、ほぼ等しい高さ位置になるように設けるので、従来とは異なり、収納すべき物品を持ったまま階段の昇り降りをする必要もなく、ほぼ等しい高さ位置の床面を移動するだけで済み、例えば比較的重量な物品等でも収納し易く使い勝手が良い。
さらに、前記収納空間の天井高を、０．９ｍ〜１．４ｍに設定することによって、人が前記収納空間に入って、何とか作業ができる最低限の高さを確保でき、また、このように天井高を必要最小限に抑えることで、建物の高さが高くなることによって隣接する建物に及ぼす日照減少等の影響を極力少なくすることができる。
【発明を実施するための最良の形態】
【００１９】
以下、図面を参照して本発明に係る建物Ａの実施の形態について説明する。なお、本実施の形態の建物Ａは、壁や床、屋根といった建物Ａの構成要素を予め工場にてパネル化しておき、施工現場でこれらのパネルを組み立てて構築するパネル工法で構築されるが、従来の軸組工法や壁式工法の木造、鉄骨造、鉄筋コンクリート造等の建物Ａにも適用することができる。
【００２０】
本実施の形態の建物Ａは、図１または図２に示すように、１階の床１の一部の上に、中間床２が設けられており、この中間床２と１階の床１との間が収納空間３とされた建物Ａにおいて、
前記収納空間３に隣接して、床面４ａが一段低い低床収納空間４が設けられており、前記収納空間３には、１階の部屋Ａ１に通じる出入り口５が設けられており、前記低床収納空間４には外部へ通じる出入り口６が設けられている。
【００２１】
前記１階の床１には、その床１の上に設けられた前記中間床２や図示しない２階の床との間に、前記１階の部屋Ａ１や前記収納空間３が設けられており、この１階の部屋Ａ１は、図１に示すように、ダイニングスペース１ａや玄関スペース１ｂ、サニタリースペース１ｃ等から構成されている。また、前記ダイニングスペース１ａには、前記中間床２との昇降手段として階段２ａが設けられている。この階段２ａを登った先には、図１または図３に示すように、階段２ａの踊り場２ｂが設けられており、この踊り場２ｂと前記中間床２とは、ほぼ等しい高さ位置の床面となるように設定されている。
【００２２】
前記中間床２は、図２または図３に示すように、１階の床１の一部上に設けられており、この中間床２と１階の床１との間が収納空間３とされている。
なお、この中間床２の上部は、図示はしないが、１階と２階との中間階の部屋や収納スペースとして使用することができる。
【００２３】
前記収納空間３は、図１〜図３に示すように、前記１階の部屋Ａ１に面して設けられており、この収納空間３の床面３ａと前記１階の部屋Ａ１の床面１とは、ほぼ等しい高さ位置になるように設定され、また、この収納空間３には、前記１階の部屋Ａ１に通じる出入り口５が設けられている。
【００２４】
このように、前記収納空間３と前記１階の部屋Ａ１とが高さの等しい床面１、３ａとなっているので、従来とは異なり、収納すべき物品を持ったまま階段２ａの昇り降りをする必要もなく、ほぼ等しい高さ位置の床面１、３ａを移動するだけで済むので、物品の搬入や搬出作業がし易く使い勝手が良い。また、例えば比較的重量な物品等でも収納し易い。
【００２５】
さらに、本実施の形態では、この収納空間３は、図２または図３に示すように、その床面３ａから前記中間床２までの天井高が１．４ｍに設定されている。
【００２６】
なお、本実施の形態では天井高を１．４ｍとしたが、０．９ｍ〜１．４ｍの高さ範囲であれば、これに限られるものではない。
【００２７】
ここで、０．９ｍ〜１．４ｍの天井高とは、人が前記収納空間３に入って、何とか作業ができる最低限の高さを確保するための高さ範囲であり、かつ、このように天井高を必要最小限に抑えることで、建物Ａの高さが高くなることによって隣接する建物Ａに及ぼす日照減少等の影響を極力少なくすることができる高さ範囲である。
【００２８】
前記低床収納空間４は、図１または図２に示すように、建物Ａの外部に通じる出入り口６と、１階の部屋Ａ１に通じる出入り口７とが設けられており、前記収納空間３よりも床４ａが一段低くなっている。また、この低床収納空間４の一部はカーポート８となっており、残りの低床収納空間４の床面４ａとカーポート８の床面８ａとは、ほぼ連続する土間床４ａ、８ａで形成されている。
【００２９】
このように、前記低床収納空間４の一部がカーポート８となっており、残りの低床収納空間４の床面４ａとカーポート８の床面８ａとは、ほぼ連続する土間床４ａ、８ａで形成されているので、従来とは異なり、収納すべき物品を持ったままカーポート８から外部に出て、それから玄関まで回り込む手間も無く、雨の日に車から建物Ａの内部まで物品を運ぶ際にも人や物品が濡れることがない。
【００３０】
また、ほぼ等しい高さ位置の土間床面４ａ、８ａを移動するだけで済むので、例えば比較的重量な物品等でも収納し易く使い勝手が良い。
【００３１】
そして、建物Ａの外部に収納すべき物品は前記残りの低床収納空間４に収納することができ、建物Ａの内部に収納すべき物品は前記低床収納空間４と１階の部屋Ａ１との出入り口７から運び込むことができるので使い勝手が良い。
【００３２】
なお、前記外部および１階の部屋Ａ１に通じるそれぞれの出入り口６、７は、本実施の形態では引き違い戸が設けられているが、これに限られるものではなく、例えば観音開き様式の扉や折り戸、シャッター等でも良く、本発明の要旨を逸脱しない範囲で適宜変更可能である。
また、これら外部および１階の部屋Ａ１に通じるそれぞれの出入り口６、７のどちらか一方もしくは両方の出入り口６、７には、図示はしないが、防犯上の観点から施錠が可能な戸を設けることが望ましい。
【００３３】
なお、この低床収納空間４は、様々な物品を収納することができるが、他にも、例えばペットの飼育場として使用することもできる等、多目的空間として使用することができ使い勝手が良い。
【００３４】
また、本実施の形態の建物Ａは以上のような間取りで構成されているが、これに限られるものではなく、本発明の要旨を逸脱しない範囲で適宜変更可能である。
【００３５】
以上のような構成の建物Ａによれば、建物Ａの内部で使用した物品を収納空間３に収納し、建物Ａの外部で使用した物品を低床収納空間４に収納することができるので、それぞれの物品の使用場所や用途に合わせた収納が可能となり使い勝手が良い。また、前記低床収納空間４は、床面４ａが一段低い分、前記収納空間３よりも収納スペースが広くなるので、物品の搬入や搬出がし易く、しかも収納量が向上して、さらに使い勝手が良い。
そして、従来とは異なり、収納すべき物品を持ったままカーポート８から外部に出て、それから玄関まで回り込む手間も無く、ほぼ等しい高さ位置の土間床面４ａ、８ａを移動するだけで済む。したがって、建物Ａの外部に収納すべき物品は前記残りの低床収納空間４に収納することができ、建物Ａの内部に収納すべき物品は前記低床収納空間４と１階の部屋Ａ１との出入り口７から運び込むことができるので使い勝手が良い。
【図面の簡単な説明】
【００３６】
【図１】本発明の建物の、１階の間取り図である。
【図２】図１に示す建物のＢ−Ｂ線矢視断面図である。
【図３】図１に示す建物のＣ−Ｃ線矢視断面図である。
【符号の説明】
【００３７】
Ａ  建物
Ａ１  １階の部屋
Ｈ  天井高
１  １階の床
２  中間床
３  収納空間
４  低床収納空間
５  出入り口
６  出入り口
７  出入り口
８  カーポート
【図１】
2006016927.tif 000003
【図２】
2006016927.tif 000004
【図３】
2006016927.tif 000005